(57)【要約】【課題】糞等が糞等蓄積領域に移動し易く、魚居住領域に残る糞等を極めて少なくすることができる魚飼育水槽を提供する。【解決手段】この魚飼育水槽１は、底部に排出孔２ｂを有する水槽容器２と、排出孔２ｂに流路３１が連通し、流路３１の開閉がコック３２により制御される排水管３と、胴部４１と胴部４１を支持する複数の脚部４２を有しており、脚部４２の先端が水槽容器２の内壁面２ａに接し、胴部４１の底面が排出孔２ｂの上方に位置し、胴部４１の周面４１ａが水槽容器２の内壁面２ａとの間で隙間を形成する隔絶部材４と、を備えている。【選択図】図２
2014045735.tif 000002
【特許請求の範囲】
【請求項１】
底部に排出孔を有する水槽容器と、
前記排出孔に流路が連通し、該流路の開閉がコックにより制御される排水管と、
胴部と該胴部を支持する複数の脚部を有しており、該脚部の先端が前記水槽容器の内壁面に接し、前記胴部の底面が前記排出孔の上方に位置し、前記胴部の周面が前記水槽容器の内壁面との間で隙間を形成する隔絶部材と、を備えていることを特徴とする魚飼育水槽。
【請求項２】
請求項１に記載の魚飼育水槽において、
前記水槽容器は下部に大略有底筒状の糞等蓄積部が設けられており、
該糞等蓄積部の内壁面の上縁部と前記胴部の周面とで前記隙間が形成されていることを特徴とする魚飼育水槽。
【請求項３】
請求項２に記載の魚飼育水槽において、
前記糞等蓄積部の前記上縁部の内径は、その下方に位置する側部の内径よりも小さくなっていることを特徴とする魚飼育水槽。
【請求項４】
請求項３に記載の魚飼育水槽において、
前記糞等蓄積部の底部の内壁面は、前記排出孔に向かって下り傾斜していることを特徴とする魚飼育水槽。
【請求項５】
請求項１〜４のいずれか１項に記載の魚飼育水槽において、
前記隔絶部材は、少なくとも多孔質の炭と炭酸カルシウムを粘土に混合して６５０度以下で焼成したものを少なくとも一部に含むことを特徴とする魚飼育水槽。
【請求項６】
請求項１〜５のいずれか１項に記載の魚飼育水槽において、
前記隔絶部材は、芽胞を形成する菌が混入されていることを特徴とする魚飼育水槽。
【請求項７】
請求項１〜６のいずれか１項に記載の魚飼育水槽において、
前記水槽容器は、非導水性の水槽容器本体と、その内側の少なくとも一部に形成された導水性の多孔質層と、を有して構成されており、該多孔質層には芽胞を形成する菌が混入されていることを特徴とする魚飼育水槽。
【発明の詳細な説明】
【技術分野】
【０００１】
本発明は、観賞用などの魚の飼育に用いられる魚飼育水槽に関する。
【背景技術】
【０００２】
観賞用などの魚の飼育に用いられる魚飼育水槽では、糞や食べ残しの餌など（以下、糞等と呼ぶ。）で徐々に水質が悪くなって魚が住みにくい環境となってくる。そのため、定期的な魚飼育水槽の掃除と水替えが必要であり、また、できるだけ魚が住みやすい環境となるように種々の提案がされている。
【０００３】
特許文献１には、魚飼育水槽のボウル状の底部の最下部に排出孔とコックを設け、かつ、この底部の上方の位置で魚飼育水槽の側部の内側に、内部空間を上下に２分する多数の通孔を有する隔板部材を接合して設けたものが記載されている。特許文献２には、魚飼育水槽の傾斜した平板状の底部の最下部に対応する側部に排出孔とコックを設け、かつ、この底部の上方の位置で魚飼育水槽の側部の内側に、内部空間を上下に２分する多数の通孔を有する隔板部材（中底板）を接合して設けたものが記載されている。これらの特許文献では、魚が住む領域である魚居住領域は隔板部材の上側であり、糞等は、隔板部材の上側から下方に移動して隔板部材の下側の糞等蓄積領域に溜まって魚居住領域から隔絶され、コックを開くと排出孔から水とともに排出される。それにより、魚居住領域における水質の悪化を抑制して魚が住みやすい環境としている。
【先行技術文献】
【特許文献】
【０００４】
【特許文献１】特開平８−５６５２８号公報
【特許文献２】実用新案登録第３０５９１３９号公報
【発明の概要】
【発明が解決しようとする課題】
【０００５】
しかしながら、特許文献１及び２に記載の隔板部材では、糞等の多くは多数の通孔を通って下方に移動するが、糞等の一部は隔板部材上に残る場合が多い。それにより、魚居住領域における水質が影響される。また、隔板部材上に残った糞等は、コックを開いたときでも、排出孔から遠い隔板部材の部分では水流の勢いが小さいため、下方の糞等蓄積領域に移動しにくい。
【０００６】
本発明は、係る事由に鑑みてなされたものであり、その目的は、糞等が糞等蓄積領域に移動し易く、魚居住領域に残る糞等を極めて少なくすることができる魚飼育水槽を提供することにある。
【課題を解決するための手段】
【０００７】
上記目的を達成するために、請求項１に記載の魚飼育水槽は、底部に排出孔を有する水槽容器と、前記排出孔に流路が連通し、該流路の開閉がコックにより制御される排水管と、胴部と該胴部を支持する複数の脚部を有しており、該脚部の先端が前記水槽容器の内壁面に接し、前記胴部の底面が前記排出孔の上方に位置し、前記胴部の周面が前記水槽容器の内壁面との間で隙間を形成する隔絶部材と、を備えていることを特徴とする。
【０００８】
請求項２に記載の魚飼育水槽は、請求項１に記載の魚飼育水槽において、前記水槽容器は下部に大略有底筒状の糞等蓄積部が設けられており、該糞等蓄積部の内壁面の上縁部と前記胴部の周面とで前記隙間が形成されていることを特徴とする。
【０００９】
請求項３に記載の魚飼育水槽は、請求項２に記載の魚飼育水槽において、前記糞等蓄積部の前記上縁部の内径は、その下方に位置する側部の内径よりも小さくなっていることを特徴とする。
【００１０】
請求項４に記載の魚飼育水槽は、請求項３に記載の魚飼育水槽において、前記糞等蓄積部の底部の内壁面は、前記排出孔に向かって下り傾斜していることを特徴とする。
【００１１】
請求項５に記載の魚飼育水槽は、請求項１〜４のいずれか１項に記載の魚飼育水槽において、前記隔絶部材は、少なくとも多孔質の炭と炭酸カルシウムを粘土に混合して６５０度以下で焼成したものを少なくとも一部に含むことを特徴とする。
【００１２】
請求項６に記載の魚飼育水槽は、請求項１〜５のいずれか１項に記載の魚飼育水槽において、前記隔絶部材は、芽胞を形成する菌が混入されていることを特徴とする。
【００１３】
請求項７に記載の魚飼育水槽は、請求項１〜６のいずれか１項に記載の魚飼育水槽において、前記水槽容器は、非導水性の水槽容器本体と、その内側の少なくとも一部に形成された導水性の多孔質層と、を有して構成されており、該多孔質層には芽胞を形成する菌が混入されていることを特徴とする。
【発明の効果】
【００１４】
本発明の魚飼育水槽によれば、隔絶部材の胴部の周面と水槽容器の内壁面との間の隙間より上方の領域を魚居住領域とし、その隙間より下方の領域を糞等蓄積領域として、その隙間を通って糞等が糞等蓄積領域に移動し易くでき、魚居住領域に残る糞等を極めて少なくすることができる。
【図面の簡単な説明】
【００１５】
【図１】本発明の実施形態に係る魚飼育水槽を示す側面図である。
【図２】同上の魚飼育水槽の水槽容器及びその近傍を示す模式的な断面図である。
【図３】同上の魚飼育水槽の設置の例を示す斜視図である。
【図４】同上の魚飼育水槽の変形例を示す側面図である。
【図５】同上の魚飼育水槽の別の変形例を示す模式的な断面図である。
【図６】同上の魚飼育水槽の更に別の変形例を示す模式的な断面図である。
【図７】同上の魚飼育水槽の更に別の変形例を示す模式的な断面図である。
【図８】同上の魚飼育水槽の更に別の変形例を示す模式的な断面図である。
【図９】同上の魚飼育水槽の実験における初期の状態を示す写真である。
【図１０】同上の魚飼育水槽の実験における一定時間経過後の状態を示す写真である。
【図１１】同上の魚飼育水槽の更に別の変形例を示す模式的な断面図である。
【図１２】図１１に示すものの模式的な平面図である。
【図１３】同上の魚飼育水槽の更に別の変形例を示す模式的な断面図である。
【図１４】同上の魚飼育水槽の更に別の変形例を示す模式的な断面図である。
【発明を実施するための形態】
【００１６】
以下、本発明を実施するための形態を図面を参照しながら説明する。本発明の実施形態に係る魚飼育水槽１は、図１及び図２に示すように、水槽容器２と排水管３と隔絶部材４と、を備えている。魚飼育水槽１は、図３に例示するような台座５の上に設置して台座５に水槽容器２が支持されるようにしたり、図４に示すような高台６を水槽容器２に形成してテーブル等の上に直接に設置可能にしたりできる。
【００１７】
水槽容器２は、全体形状としては限定されるものではないが、図に示すような大略ボウル状のものが可能である。また、大略すり鉢状や大略直方体形状のものなども可能である。水槽容器２の内壁面２ａの内方には、水Ｗが溜められており、魚Ｓが飼育される。水槽容器２は、陶磁器製、ガラス製、又はプラスチック製などとすることができる。
【００１８】
水槽容器２は、水槽容器本体部２１と、下部に設けられた大略有底筒状の糞等蓄積部２２と、により構成されている。水槽容器２の内壁面２ａは、糞等蓄積部２２の部分の内壁面２２ａが、その上縁部２２ａａにおいて、水槽容器本体部２１の部分の内壁面２１ａに連続する。上縁部２２ａの下方近傍の内壁面２２ａは、下方に向かってほぼ鉛直になっているか、或いは少なくとも上縁部２２ａの上方近傍の内壁面２１ａよりも急勾配になっている。また、水槽容器本体部２１の下方部の内壁面２１ａは、大部分が傾斜部分２１ａａとなっている。糞等Ｆ（図２及び後述するその他の図において、小さな黒丸で示す。）は、重力と魚の動きなどによる水流により、傾斜部分２１ａａを下って移動し、そして、糞等蓄積部２２の内壁面２２ａの上縁部２２ａａから下方に移動し、糞等蓄積部２２に溜まる。
【００１９】
なお、糞等蓄積部２２の内壁面２２ａの上縁部２２ａａは、水槽容器本体部２１の傾斜部分２１ａａの位置に有ってもよいし（図２参照）、或いは、図５に示すように、上縁部２２ａａと傾斜部２１ａａの最下部の間に、糞等Ｆが上縁部２２ａａまで移動するのを妨げない程度の若干の平坦部を設けることも可能である。
【００２０】
糞等蓄積部２２は、底部２２ｂと側部２２ｃにより前述したように大略有底筒状をなしており、水槽容器２全体の底部でもある底部２２ｂには、水槽容器２に溜めた水Ｗを排出するための排出孔２ｂが形成されている。
【００２１】
糞等蓄積部２２の底部２２ｂの内壁面２２ａは、糞等Ｆを排出孔２ｂの方に寄せ易いように、排出孔２ｂに向かって下り傾斜しているのが好ましい。
【００２２】
また、糞等蓄積部２２の側部２２ｃは、図６に示すように、内壁面２２ａの上縁部２２ａａの下方に位置する部分の内径を上縁部２２ａａの内径より大きくすることが好ましい。そうすると、上縁部２２ａａと後述する隔絶部材４の胴部４１との隙間Ｇから糞等Ｆが更に下方に移動し易くなる。或いは、場合によっては、糞等蓄積部２２の側部２２ｃの内径は、全て上縁部２２ａａの内径と同じ（図２に示した状態）とし、側部２２ｃに対向する胴部４１の部分の方の外径を小さくしてもよい。
【００２３】
排水管３は、水槽容器２の水Ｗと糞等Ｆを外部に排出するためのもので、水槽容器２の排出孔２ｂに流路３１が連通し、流路３１の開閉がコック３２により制御される。
【００２４】
隔絶部材４は、胴部４１と、胴部４１を支持する複数の脚部４２と、を有している。脚部４２の先端は、隔絶部材４全体を水槽容器２の内方に支持するように水槽容器２の内壁面２ａに、より具体的には、糞等蓄積部２２の底部２２ｂの内壁面２２ａに接しており、胴部４１の底面は、排出孔２ｂの上方に位置している。
【００２５】
胴部４１は、その周面４１ａが、糞等蓄積部２２の内壁面２２ａの上縁部２２ａａに近接して、上縁部２２ａａとの間、すなわち水槽容器２の内壁面２ａとの間で所要の隙間Ｇを形成する。胴部４１の周面４１ａは、少なくともこの隙間Ｇを形成する箇所の近傍では、ほぼ鉛直な面或いは傾斜角度が急な面となっている。この隙間Ｇを通って、糞等Ｆが下方に移動することとなる。また、平面視における隙間Ｇの径方向長さは、糞等Ｆが十分に通過し、かつ、魚Ｓが通過できない程度の所定の長さである。従って、水槽容器２は、隙間Ｇよりも上方の領域、すなわち水槽容器本体部２１の領域が、魚Ｓが住み糞等Ｆが排除される魚居住領域となり、隙間Ｇよりも下方の領域、すなわち糞等蓄積部２２の領域が、魚Ｓが侵入せず糞等Ｆが溜まる糞等蓄積領域となる。複数の脚部４２に囲まれた空間（胴部４１の下方の空間）は、糞等蓄積領域の一部である。
【００２６】
隔絶部材４は、魚Ｓなどから胴部４１上に移動して来た糞等Ｆを隙間Ｇに向かわせることができる。隔絶部材４は、その具体的な形状は限定されるものではないが、胴部４１の上部はオーバル形状、円錐形状、又は角錐形状として、胴部４１上に移動して来た糞等Ｆがすぐに隙間Ｇに向かって移動しやすくするのが好ましい。
【００２７】
また、胴部４１の内部を図示するように空洞にし、胴部４１にエアチューブ挿入孔４１ｂとエア噴出孔４１ｃとを形成して、胴部４１を上下に分離可能なものとすることもできる。そうすると、内部にエアーフィルタＡＦやエアーストーンなどエア（気泡）を発生するものを入れ、それにエアチューブ挿入孔４１ｂに挿入したエアチューブＡＴを通して空気を送り、エア噴出孔４１ｃから多数のエアを噴出させることができる。
【００２８】
なお、胴部４１は、内部に空洞を設けないことも勿論可能である。この場合、魚Ｓの種類によっては、エアを発生するものを設けなかったり、エアを発生するものを別のところに設置したり、水Ｗを循環させる装置を設け、循環の途中で水面に水を落下させることでエアを発生させたりすることができる。
【００２９】
また、胴部４１は、図７に示すように、上下に長い大略有底筒状のものとして、上端が水面よりも上側の位置、水面の位置、又は水面よりも僅かに下側の位置にあるようにすることもできる。このようにすると、胴部４１の内方に土壌等を入れて植物を生育できるとともに、糞等Ｆが上述した隙間Ｇに向かって移動しやすくできる。
【００３０】
また、胴部４１は、図８に示すように、２段構成とし、下側の胴部を、エアーフィルタＡＦやエアーストーンなどエア（気泡）を発生するものを入れることができるような空洞を有するものとし、上側の胴部を、内方に土壌等を入れて植物を生育できるような大略有底筒状のものとすることができる。なお、図８に示すものは、上側の胴部の上端部が土壌等を入れ易いように喇叭状に広がっている。また、上側の胴部の側面には、土壌等が飛び出ない程度の小さい孔が形成されており、それを通して水分がしみ込むようにしている。
【００３１】
このような構成により、魚飼育水槽１では、上述した隙間Ｇを通って糞等Ｆを容易に糞等蓄積領域に集めることができる。それにより、魚居住領域に残る糞等を極めて少なくすることができる。また、魚居住領域と糞等蓄積領域の境である隙間Ｇの平面視の面積が小さいので、糞等蓄積領域を魚居住領域から確実に隔絶させて、糞等が魚居住領域に戻らないようにすることができる。このようにして、魚居住領域における水質の悪化を十分に抑制でき、魚が住みやすい環境とすることができる。
【００３２】
また、糞等蓄積領域に糞等Ｆがある程度溜まると、コック３２により流路３１を開いて、排出孔２ｂ及び流路３１を通って水Ｗとともに糞等Ｆを排出させることができる。また、流路３１を開いたときの上述した隙間Ｇ及びその近傍の水流の勢いは大きく、それらの箇所の掃除も容易に行える。なお、排出による水Ｗの減少した分は、水槽容器２の上方から補充すればよい。また、流路３１の下方には、排出された水Ｗを受けるバケツ等の容器を置いておけばよい。また、水槽容器２全体を掃除するときは、隔絶部材４を持ち上げて取り外して行えばよい。
【００３３】
魚飼育水槽１の機能を示すために本願発明者が行った実験は以下の通りである。図９に示すように、水槽容器２の内側に水Ｗを溜め、魚Ｓとして金魚を３匹入れた。隔絶部材４の内部にはエアーフィルタＡＦを入れ、エア噴出孔４１ｃから多数のエアを噴出させた。そして、金魚の糞を多めに入れて初期状態とした。この初期の状態から約１時間経過後、図１０に示すように、糞はほとんど糞等蓄積領域に移動した。
【００３４】
次に、大略有底筒状の糞等蓄積部２２を用いない魚飼育水槽１の変形例を説明する。この魚飼育水槽１’の水槽容器２’は、図１１〜図１３に示すように、上述した大略有底筒状の糞等蓄積部２２がなく、水槽容器本体部２１’のみから成る。従って、水槽容器２’の底部の排出孔２ｂ’は、水槽容器本体部２１’の底部に形成されている。また、魚飼育水槽１’の水槽容器２’（水槽容器本体部２１’）の傾斜部分２１ａａ’は、隔絶部材４’の胴部４１’の周面４１ａ’との間で上述した隙間Ｇを形成する箇所の付近では少なくとも、傾斜角度が比較的急なものであるのが好ましい。
【００３５】
魚飼育水槽１’の隔絶部材４’は、胴部４１’と複数の脚部４２’を有している。胴部４１’は、隔絶部材４の上述した胴部４１と同様のものである。図中の符号４１ａ’、４１ｂ’、４１ｃ’は、胴部４１の４１ａ、４１ｂ、４１ｃと同様のものである。脚部４２’は、図１１及び図１２に示すように、胴部４１’の周面４１ａ’の下部から水平方向に形成されるか、或いは、図１３に示すように、胴部４１’の底面の端部から下方に向かって鉛直方向に形成される。なお、図１１〜図１３には、脚部４２’が３個のものを示している。図１１及び図１３の断面図では、図中の右側のみに脚部４２’の断面が現れている。
【００３６】
魚飼育水槽１’は、隔絶部材４’の脚部４２’の先端が水槽容器２’の内壁面２ａ’に接し、胴部４１’の底面が排出孔２ｂ’の上方に位置し、胴部４１’の周面４１ａ’が水槽容器２’の内壁面２ａ’との間で上述した隙間Ｇを形成する点では、魚飼育水槽１と同様であるが、詳細は異なっている。すなわち、脚部４１’の先端は、水槽容器本体部２１’の内壁面２１ａ’に接しており、胴部４１’の周面４１ａ’は、水槽容器本体部２１’の内壁面２１ａ’との間で隙間Ｇを形成している。なお、脚部４２’の太さＨは、図１２に示すように、細い方が好ましい。
【００３７】
この魚飼育水槽１’は、魚飼育水槽１と同様に、隙間Ｇを通って糞等Ｆを容易に糞等蓄積領域に集めることができ、それにより、魚居住領域に残る糞等を極めて少なくすることができる。また、魚飼育水槽１と同様に、糞等蓄積領域を魚居住領域から確実に隔絶させて、糞等が魚居住領域に戻らないようにすることができる。また、魚飼育水槽１と同様に、コック３２により流路３１を開いて、隙間Ｇ及びその近傍の掃除も容易に行える。
【００３８】
次に、水質の悪化を更に抑制して魚が更に住みやすい環境とすることが可能な構成について説明する。
【００３９】
先ず、隔絶部材４は、その少なくとも一部（例えば、胴部４１のみ又は隔絶部材４全部）を、少なくとも多孔質の炭と炭酸カルシウムを粘土に混合して６５０度以下で焼成したものとすることが可能である。多孔質の炭は、例えば、くん炭などの粉末である。炭酸カルシウムは、例えば、石灰石などの粉末である。多孔質の炭と炭酸カルシウムと粘土の混合割合は、例えば、順に、約７０重量％、約２０重量％、約１０重量％である。６５０度以下で焼成するのは、炭酸カルシウムを酸化カルシウムに化学変化させないためである。なお、多孔質の炭と炭酸カルシウムとともに、ゼオライトなど他の物質を粘土に混合して焼成することも可能である。ゼオライトは、アンモニアなどの吸着に優れている。
【００４０】
炭酸カルシウムは、糞等Ｆなどにより水Ｗが酸性になると、溶け出して中性に戻す。また、多孔質の炭は、その多数の空孔の中に炭酸カルシウムを分散させて保持し、その炭酸カルシウムは、空孔の中に吸収した水Ｗを効果的に中性に戻す。それにより、魚が住みやすい環境になる。本願発明者が行った実験では、ＰＨ（ペーハー）＝３．００の酢酸水溶液に、多孔質の炭と炭酸カルシウムと粘土の混合割合を順に約７０重量％、約２０重量％、約１０重量％として６００度で焼成した焼成物を入れた結果、７日後にはＰＨ＝６．７８となった。
【００４１】
次に、隔絶部材４は、芽胞を形成する菌を混入させることが可能である。芽胞を形成する菌は、例えば、納豆菌などの枯草菌である。枯草菌は、病原性のない安全性の高い菌である。芽胞を形成する菌は、アオコなどの栄養源となる有機物が発生したとき、発芽して増殖し、その有機物を分解し、アオコの発生を抑制する。それにより、魚が住みやすい環境になり、また、美観も維持される。その有機物が消滅したときは、芽胞を形成し、仮に乾燥など過酷な環境にあっても死滅しない。このような芽胞を形成する菌を混入させるには、隔絶部材４が、上述した多孔質の炭と炭酸カルシウムを粘土に混合して６５０度以下で焼成したもののように、多孔質の場合が好ましい。また、菌が好気性の枯草菌の場合には、エア（気泡）を発生するものの近くに、又は、図７又は図８で示したような上下に長い胴部４１を多孔質のものとして水面近くに菌が住むようにするのが好ましい。
【００４２】
次に、水槽容器２は、図１４に示すように、非導水性の本体２Ａと、その内壁面の少なくとも一部に形成された導水性の多孔質層２Ｂと、を有して構成することが可能である。導水性の多孔質層２Ｂは、毛細管現象を起こすように多数の空孔が全体につながっているものである。非導水性の本体２Ａは、例えば、吸水率の小さな通常の陶磁器製のものである。そして、この多孔質層２Ｂに、上述した芽胞を形成する菌を混入させることが可能である。このようにすると、多孔質層２Ｂの水面より上方の多数の空孔の中は、多孔質層２Ｂの毛細管現象により、水分が含まれ、また、酸素も含まれるため、好気性の枯草菌には極めて良い環境となる。よって、アオコなどの栄養源となる有機物が発生したとき、発芽して増殖し、その有機物を分解し、アオコの発生を抑制する。
【００４３】
以上、本発明の実施形態を説明したが、本発明は、この実施形態に限定されるものではなく、特許請求の範囲に記載の範囲内において種々の変形が可能である。例えば、魚飼育水槽１の水槽容器２は、水槽容器本体部２１と大略有底筒状の糞等蓄積部２２を一体成形してもよいし、別々に成形した水槽容器本体部２１と糞等蓄積部２２を接合してもよい。
【符号の説明】
【００４４】
１    魚飼育水槽
２    水槽容器
２ａ  水槽容器の内壁面
２ｂ  水槽容器の排出孔
２１  水槽容器の水槽容器本体部
２１ａ  水槽容器本体部の内壁面
２１ａａ  水槽容器本体部の内壁面の傾斜部
２２  水槽容器の糞等蓄積部
２２ａ  糞等蓄積部の内壁面
２２ａａ  糞等蓄積部の内壁面の上縁部
２２ｂ  糞等蓄積部の底部
２２ｃ  糞等蓄積部の側部
２Ａ  水槽容器の基体
２Ｂ  水槽容器の多孔質層
３    排水管
３１  排水管の流路
３２  排水管のコック
４    隔絶部材
４１  隔絶部材の胴部
４１ａ  隔絶部材の胴部の周面
４２  隔絶部材の脚部
Ｆ    糞等（糞や食べ残しの餌など）
Ｇ    隔絶部材の胴部の周面と糞等蓄積部の上縁部との間の隙間
Ｓ    魚
Ｗ    水
【図１】
2014045735.tif 000003
【図２】
2014045735.tif 000004
【図３】
2014045735.tif 000005
【図４】
2014045735.tif 000006
【図５】
2014045735.tif 000007
【図６】
2014045735.tif 000008
【図７】
2014045735.tif 000009
【図８】
2014045735.tif 000010
【図１１】
2014045735.tif 000011
【図１２】
2014045735.tif 000012
【図１３】
2014045735.tif 000013
【図１４】
2014045735.tif 000014
【図９】
2014045735.tif 000015
【図１０】
2014045735.tif 000016